(57)【要約】【課題】複数の流路形成体を積層してなる熱交換器において流路形成体の接続通路を接続する為にろう付けする場合は製作コストが高価になり過ぎるため、接続通路部分をパッキンにより封止可能な構造とした。【解決手段】第２熱交換器５は、内部に扁平な流路１２を有する流路形成体１３が複数積層されて接続通路１４、１５により接続された積層体１６を備えている。流路形成体１３は、ロウ付けにより接合された第１プレート２５と第２プレート２６とからなる。第１プレート２５には、鍔部３７と周壁部３６からなる第１接続部３５が形成されている。第２プレート２６には、周壁部３６よりも直径が所定量小さい周壁部３９を有する第２接続部３８が形成されている。第１接続部３５に隣接する流路形成体１３の第２接続部３８が内嵌され、周壁部３６と周壁部３９の間のパッキン装着隙間４０にパッキン４６が装着されて第１接続部３５と第２接続部３８の間が封止される。【選択図】  図８ 
2005069639.tif 000002
【特許請求の範囲】
【請求項１】
内部に偏平な流路を有する流路形成体を複数積層して接続通路により接続した熱交換器において、
前記流路形成体には、隣接する流路形成体の接続通路と接続される接続通路が形成される環状又はほぼ環状で積層方向の外側に突出した第１, 第２接続部が対向状に形成され、
前記第１接続部に第２接続部がパッキン装着隙間を空けて内嵌可能に形成され、
前記第１接続部の周壁部と、隣接する流路形成体の第２接続部の周壁部との間に環状又はほぼ環状のパッキンが装着されたことを特徴とする熱交換器。
【請求項２】
前記第１接続部の周壁部の外端部には、内周側に延びる鍔部が形成されたことを特徴とする請求項１に記載の熱交換器。
【請求項３】
前記流路形成体の内部に、前記パッキン装着隙間を空けて前記鍔部に部分的に対向するスペーサであって、偏平な流路の積層方向の厚さを確保するスペーサを設けたことを特徴とする請求項２に記載の熱交換器。
【請求項４】
前記流路形成体と隣接する流路形成体との間に、アウターフィンを挟着したことを特徴とする請求項１〜３の何れかに記載の熱交換器。
【請求項５】
前記複数の流路形成体を積層した積層体を積層方向の両側から挟む１対の耐圧板と、これら耐圧板を連結する連結部材を設けたことを特徴とする請求項１〜４の何れかに記載の熱交換器。
【発明の詳細な説明】
【技術分野】
【０００１】
本発明は熱交換器に関し、特に流路形成体の連結が容易な熱交換器に関するものである。
【背景技術】
【０００２】
従来、給湯器やラジエーターなどに搭載される熱交換器であって、偏平状の流路が夫々形成された複数の流路形成体が積層してなる積層式の熱交換器が種々実用に供されている。例えば、給湯器に搭載される場合には、流路形成体の内部には偏平状の流路が形成され、流路内には必要に応じてインナーフィンが設けられ、燃焼ガスや燃焼排ガスがこの熱交換器気に供給されると、入水部から流路に供給された水が加熱され出湯部から出湯される。
【０００３】
例えば、特許文献１には、ステンレス製の１対の伝熱プレートからなる偏平なチューブ( 流路形成体に相当) が複数積層され、隣接するチューブ同士がろう付け接合された熱交換器が開示されている。この熱交換器においては、各チューブの内部に偏平な流路が形成され、この流路にはインナーフィン設けられている。伝熱プレートの外部にはアウターフィンが設けられている。
特許文献２には、複数の伝熱プレートと、各伝熱プレートの外周部に対応するように配置したガスケットとを交互に積層してなる熱交換器が開示されている。この熱交換器は、与熱経路と受熱経路を伝熱プレート間に交互に配置し、与熱経路と受熱経路に異なる流体を供給し、与熱経路を流れる流体が受熱経路を流れる流体に熱を与えて温める。
【特許文献１】特開２００２−１１５９１６号公報
【特許文献２】登録実用新案第２５１５１１９号公報
【発明の開示】
【発明が解決しようとする課題】
【０００４】
しかし、特許文献１の熱交換器においては、多数積層される伝熱プレート同士をろう付けにより接合するが、このろう付けの際、接合部にニッケル、銅などのろう材を塗布し、伝熱プレートの積層体を真空炉に収容し所定時間加熱してろう付けするので、工程数が多いため多大の工数を要し、また、真空炉を主体とするろう付け装置の設備費も多額となり、ニッケル、銅などのろう材の材料コストも高価になるなどの問題がある。
【０００５】
一方、特許文献２のプレート式熱交換器においては、伝熱プレート同士の間にガスケットを挟んだ状態にして複数の伝熱プレートを積層し、その積層方向両端に配設された固定フレームと可動フレームとを締付ボルト・ナットにより連結して押圧状態を保持する。この締付ボルト・ナットにより押圧する場合に、流体の漏れを防ぐために非常に大きな押圧力を積層方向に作用させる必要があるうえ、押圧力も伝熱プレートの外周部の全面に均等に作用させなければならないため、複数の締付けボルトを押圧力が均等になるように徐々に締めていかなければならず、多大の時間と労力が必要となる。
この熱交換器は、比較的低圧の流体を加温したりすることは可能であるが、ガスケットに積層方向の押圧力を作用させ、ガスケットに働く摩擦力でガスケットを保持する構造であるから、給湯機などの熱交換器のように、ウォータハンマー現象により高圧の流体圧が作用するような熱交換器に適用するに適したものではない。
【０００６】
本発明の目的は、簡単な構造の流路形成体を積層する構造を採用しつつも、流路形成体の接続通路の接続部を接続するために、流路形成体同士をろう付けすることなく、パッキンにより封止可能にした熱交換器を提供することである。
【課題を解決するための手段】
【０００７】
請求項１の発明は、内部に偏平な流路を有する流路形成体を複数積層して接続通路により接続した熱交換器において、前記流路形成体には、隣接する流路形成体の接続通路と接続される接続通路が形成される環状又はほぼ環状で積層方向の外側に突出した第１, 第２接続部が対向状に形成され、前記第１接続部に第２接続部がパッキン装着隙間を空けて内嵌可能に形成され、前記第１接続部の周壁部と、隣接する流路形成体の第２接続部の周壁部との間に環状又はほぼ環状のパッキンが装着されたことを特徴とするものである。
【０００８】
この熱交換器においては、内部に偏平な流路を有する流路形成体を複数積層して接続通路により接続するために、各流路形成体に、積層方向の外側に環状又はほぼ環状の第１, 第２接続部が対向状に形成され、各流路形成体の第１接続部に、隣接する流路形成体の第２接続部を内嵌させ、その第１接続部の周壁部と第２接続部の周壁部との間のパッキン装着隙間に環状又はほぼ環状のパッキンが圧縮状に装着され、第１接続部と第２接続部との間が封止され、積層した複数の流路形成体における接続通路が液密状に接続される。
前記パッキン装着隙間において、パッキンは積層方向に圧縮されるのではなく、第２接続部により径拡大側（積層方向と直交する径方向）へ第１接続部の方へ押圧される。そして、ウォータハンマー現象等による高い水圧が流路形成体の内部に作用しても、パッキンは第１接続部で支持されるから、脱落することはなく信頼性に優れる。
【０００９】
請求項２の発明は、請求項１の発明において、前記第１接続部の周壁部の外端部には、内周側に延びる鍔部が形成された特徴とするものである。第１接続部の周壁部の外端部に内周側に延びるように形成された鍔部によって、パッキン装着隙間に装着されたパッキンが第１接続部の外端部の外側へ移動しないように規制される。
【００１０】
請求項３の発明は、請求項２の発明において、前記流路形成体の内部に、前記パッキン装着隙間を空けて前記鍔部に部分的に対向するスペーサであって、偏平な流路の積層方向の厚さを確保するスペーサを設けたことを特徴とするものである。流路形成体の内部にパッキン装着隙間を空けて前記鍔部に部分的に対向するスペーサによって、偏平な流路の積層方向の厚さが確保され、パッキンがパッキン装着隙間から流路形成体の内部へ移動しないように規制される。尚、接続通路から流路形成体内へ水を導入し、導出する必要があるので、前記鍔部に部分的に対向するスペーサを設ける。
【００１１】
請求項４の発明によれば、請求項１〜３の発明において、前記流路形成体と隣接する流路形成体との間に、アウターフィンを挟着したことを特徴とするものである。流路形成体と隣接する流路形成体との間に挟着されたアウターフィンによって、流路形成体同士間の積層方向の間隔が所定の間隔に保たれ、熱伝達効率が高まる。
【００１２】
請求項５の発明によれば、請求項１〜４の発明において、前記複数の流路形成体を積層した積層体を積層方向の両側から挟む１対の耐圧板と、これら耐圧板を連結する連結部材を設けたことを特徴とするものである。流路形成体が積層された積層体の積層方向の両側１対の耐圧板を配置し、それら耐圧板を連結部材により連結することで、複数の流路形成体を積層状態に保持する。
【発明の効果】
【００１３】
請求項１の発明によれば、複数の流路形成体を積層して接続通路により接続した熱交換器において、各流路形成体に接続通路を形成するための第１，第２接続部を形成し、第１接続部に、隣接する流路形成体の第２接続部がパッキン装着隙間を空けて内嵌可能に形成し、複数の流路形成体を積層した状態において、各流路形成体の第１接続部と、これに隣接する流路形成体の第２接続部との間をパッキン装着隙間に装着した環状又はほぼ環状のパッキンにより封止することができる。環状又はほぼ環状のパッキンは第１接続部材と第２接続部との間のパッキン装着隙間に装着され、第２接続部から第１接続部の方へ、つまり積層方向と直交する方向に押圧されているため、ウォータハンマー現象等により高い液圧が作用してもパッキンが脱落することがなく、信頼性に優れる。
複数の流路形成体を積層した構造を採用しながらも、接続通路を接続するために流路形成体同士をろう付けする必要がなく、簡単な構造の第１，第２接続部とパッキンにより水密に接続することができるから、熱交換器の製作コストを大幅に節減できる。  
パッキンの封止性能確保のためにパッキンを積層方向に押圧する必要がないから、複数の流路形成体を積層して締結する構造を簡単化し、熱交換器の組み立ての際に、流路形成体の積層を簡単に行うことができる。
【００１４】
請求項２の発明によれば、第１接続部周壁部の外端部に内周側へ延びる鍔部を形成し、この鍔部によりパッキンが第１接続部の外端部から外側へ移動しないように規制するので、パッキンがパッキン装着隙間から外側へ脱落することがない。
請求項３の発明によれば、構造を複雑にすることなく、流路の厚さを確保するためのスペーサによりパッキンが流路形成体の内側に移動してパッキン装着隙間から抜けることを防ぐことができる。
【００１５】
請求項４の発明によれば、流路形成体同士間にアウターフィンを挟着したので、流路形成体に熱を伝達する性能を高めることができ、流路形成体同士間を所定の間隔に保つことができる。
請求項５の発明によれば、複数の流路形成体を積層した積層体を両側から挟む１対の耐圧板と、これら耐圧板を連結する連結部材を設けたので、複数の流路形成体を積層状態に保持する構造が簡単になる。
【発明を実施するための最良の形態】
【００１６】
本発明の熱交換器は、内部に偏平な流路を有する流路形成体を複数積層して接続通路により接続した熱交換器において、前記流路形成体には、隣接する流路形成体の接続通路と接続される接続通路が形成される環状又はほぼ環状で積層方向の外側に突出した第１, 第２接続部が対向状に形成され、前記第１接続部に第２接続部がパッキン装着隙間を空けて内嵌可能に形成され、前記第１接続部の周壁部と、隣接する流路形成体の第２接続部の周壁部との間に環状又はほぼ環状のパッキンが装着されたものである。
【実施例】
【００１７】
以下、本発明の実施例を図面に基づいて説明する。本実施例は、ガス給湯装置の潜熱回収式の熱交換器に本発明を適用した場合の一例である。
最初に、ガス給湯装置１について簡単に説明する。図１, 図２に示すように、ガス給湯装置１は、バーナー２と、ファン３と、第１熱交換器４と、潜熱回収式の第２熱交換器５などを備えている。バーナー２の下側に、ファン３が配設され、バーナー２の上方に第１熱交換器４が、更にその上方に第２熱交換器５が配設されている。
【００１８】
このガス給湯装置１には、入水管６と出湯管７が接続され、入水管６を介して上水道等から供給される水は、先ず第２熱交換器５に導入されて温められ、この温められた温水が中継管８を介して第１熱交換器４に導入されて更に加熱されて、第１熱交換器４から出湯管７を介して外部へ供給される。
【００１９】
バーナー２には、ガス供給管９から燃料ガスが供給され、その燃料ガスがバーナー２で燃焼され、その燃焼ガスが第１熱交換器４を通過すると、燃焼ガスの顕熱により温水が温められると共に、燃焼ガス（燃焼排ガス）が２００℃程度まで冷却され、その燃焼ガスが第２熱交換器５を通過する時に、燃焼ガスの潜熱により１５〜２０℃の水が３０℃程度まで温められると共に、燃焼ガスが５０〜８０℃程度に冷却される。
【００２０】
次に、本発明に係る潜熱回収式の第２熱交換器５について詳細に説明する。尚、図２と図３とに示す前方と左右を前方と左右として説明する。
図２〜図６に示すように、第２熱交換器５は、熱交換器ケース１１に収容されている。第２熱交換器５は、内部に偏平な流路１２を有する流路形成体１３が複数積層されて接続通路１４、１５により接続された積層体１６と、隣接する流路形成体１３同士間の後側約半分に挟着されたアウターフィン１７と、積層体１６の左右両側に配置され且つ連結部材１８により連結された１対の耐圧板１９ａ, １９ｂなどを有する。
【００２１】
熱交換器ケース１１の側壁１１ａには、積層体１６と共に耐圧板１９ａ、１９ｂがビス止めされている。図４に矢印で示すように、燃焼ガスは熱交換器ケース１１の後壁１１ｂに形成された開口１１ｃから内部に前方方向向きに導入され、この燃焼ガスは仕切板２０により誘導されて、第２熱交換器５の複数のガス通過通路２１を下方へと流れる。ガス通過通路２１を流れた燃焼ガスは、第２熱交換器５の前側を通って、熱交換器ケース１１の前壁１１ｄに形成された開口１１ｅから外部へ排出される。
【００２２】
燃焼ガスが通過通路２１を通過する間に、この燃焼ガスが流路形成体１３に直接的に或いはアウターフィン１７を介して潜熱を与え、燃焼ガスが潜熱を与えて露天以下になり凝縮するとドレン水が発生する。このドレン水は、熱交換器ケース１１に付着した後、前方が下方に向かって傾斜した底壁１１ｆに落ち、この底壁１１ｆを伝って流れ、排出口２２から中和装置( 図示略) へと排出される。
【００２３】
流路形成体１３は、外周部を例えばろう付けにより接合されたステンレス製の第１プレート２５と第２プレート２６などからなり、第１，第２プレート２５，２６間には偏平な流路が形成されている。
流路形成体１３の前端部には、上下１対の接続通路１４，１５が形成され、これらの接続通路１４，１５は隣接する流路形成体１３の接続通路１４，１５に接続されている。下側の接続通路１４は入水部２７に相当し、入水ポート２８から入水した水がこの入水部２７を介して流路形成体１３に入水し、流路形成体１３の後半部に形成された側面視にて「コ」字状の流路１２を流れ、この流路１２に設けられたインナーフィン( 図示略）を介して潜熱により温められ、上側の接続通路１５である出湯部２９を介して出湯ポート３０から出湯され、この出湯された温水が中継管８を介して第１熱交換器４へと送られる。尚、流路形成体１３の流路１２内の上下方向中央部には、後瑞部の一部を除いて上側の流路１２ａと下側の流路１２ｂとを仕切って「コ」字状の流路１２とするための仕切り板３１が設けられている。
【００２４】
図７に示すように、第１プレート２５には、隣接する流路形成体１３の接続通路１４，１５と接続される接続通路１４，１５が形成される上下１対の環状の第１接続部３５が積層方向の外側に突出するように形成されている。第１接続部３５は、円筒状の周壁部３６と、周壁部３６の外端部から内周側に延びる鍔部３７とを有する。この鍔部３７の内径は、隣接する流路形成体１３の第２プレート２６の第２接続部３８の周壁部３９を微小隙間をもって内嵌可能に形成されている。
【００２５】
図７に示すように、第２プレート２６には、隣接する流路形成体１３の接続通路１４，１５と接続される接続通路１４，１５が形成される上下１対の環状の第２接続部３８が積層方向の外側に突出するように且つ第１接続部３５と対向状に形成されている。第２接続部３８の円筒状の周壁部３９は、第１接続部３５に環状のパッキン装着隙間４０を空けて内嵌可能に形成されている。
【００２６】
第１, 第２プレート２５、２６の間において接続通路１４，１５の外周部には、第１, 第２プレート２５、２６間の間隔、即ち偏平な流路１２の積層方向の厚さを一定に保つためのリング状のスペーサ４２が、パッキン装着隙間４０を空けて鍔部３７と部分的に対向するように装着され第１，第２プレート２５，２６の少なくとも一方にろう付けされている。このスペーサ４２は、１対の側壁部４３、４４と、これらの側壁部４３、４４を連結する連結壁部４５からなる。連結壁部４５には、周方向適当間隔おきに接続通路１４，１５と流路１２とを繋いで水を流通させるための流水穴( 図示略) が形成されている。スペーサ４２の左側の側壁部４３は、後述するパッキン４６が流路形成体１３の内側に抜け落ちるのを防ぐためのものでもある。
【００２７】
図６, 図８に示すように、流路形成体１３の積層体１６における隣接する流路形成体１３同士間のうちの後半部には、ガス通過通路２１の一部を遮るようにアウターフィン１７が容易に交換可能に挟着されている。アウターフィン１７は、例えばステンレス薄板をプレス打ち抜き加工によりに多数の切り込みをいれて屈曲させたものである。このアウターフィン１７によって、ガス通過通路２１を通過する燃焼ガスから潜熱が奪われ、流路形成体１３に潜熱が伝達される。このアウターフィン１７は、流路形成体１３を積層する場合に、隣接する流路形成体１３同士間の間隔を一定に保つ機能も果たすものである。
【００２８】
図８に示すように、複数の流路形成体１３を積層する場合には、各第１接続部３５の周壁部３６の内周側のパッキン装着隙間４０にシリコンゴム製の環状のパッキン４６( Ｏリング) を装着した状態で、その各第１接続部３５に、それに隣接する流路形成体１３の第２接続部３８を内嵌させ、第１接続部３５の周壁部３６の内周面と、この第１接続部３５に内嵌された第２接続部３８の周壁部３９の外周面との間のパッキン装着隙間４０にパッキン４６が圧縮状に装着されて第１，第２接続部３５，３８間が封止される。
パッキン４６は、第１接続部３５の鍔部３７によって流路形成体１３の外側へ移動しないように規制されると共に、スペーサ４２の左側の側壁部４３によって流路形成体１３の内側へ移動しないように規制される。ここで、パッキン４６は、第１接続部３５の外周壁３６と第２接続部３８の外周壁３９との間に圧縮状態に装着され、両側が鍔部３７と側壁部４３とで閉塞されるため、ウォータハンマー現象等により高圧の水圧が作用したとしても、パッキン装着隙間４０から離脱することはなく、接続通路１４，１５を封止する機能をもっている。尚、このパッキン４６はシリコンゴム製で約２００℃程度の温度に耐え得るので、２００℃程度で各第２熱交換器５の通過通路２１に入り、この通過通路２１を通過後、５０〜８０℃程度まで冷却される燃焼ガスにより破損することはない。
【００２９】
積層体１６は左右両側から１対の耐圧板１９ａ、１９ｂで挟まれ、これら耐圧板１９ａ、１９ｂは、４組のボルト５０とナット５１( これらが連結部材１８に相当する）により連結され、この１対の耐圧板１９ａ、１９ｂが熱交換器ケース１１に固着されて保持されている。このように耐圧板１９ａ、１９ｂにより両側から挟まれても、隣接する流路形成体１３同士の間には夫々アウターフィン１７が挟着されているので、このアウターフィン１７によって隣接する流路形成体１３同士間の間隔が一定に保たれている。
【００３０】
以上説明した第２熱交換器５の作用及び効果について説明する。
この第２熱交換器５によれば、第１接続部３５の周壁部３６とこれに隣接する流路形成体１３の第２接続部３８の周壁部３９との間のパッキン装着隙間４０に環状のパッキン４６を装着するという簡単な構成でもって、各流路形成体１３の第１接続部３５と、その流路形成体１３と隣接する流路形成体１３の第２接続部３８との接続部を封止しながら、複数の流路形成体１３を積層することができる。
そのため、複数の流路形成体１３を積層した構造の熱交換器５において、流路形成体１３の接続通路１４，１５を接続する為に流路形成体１３同士をろう付けする必要がなく、第簡単な構造の第１，第２接続部３５，３８とパッキン４６とで確実に封止することができるから、接続通路の接続部をろう付けする構造と比べて、構造が簡単化し、製造コストを格段に低減することができる。
【００３１】
このパッキン４６は、第１, 第２接続部３５，３８の周壁部３６，３９からそれら周壁部３６，３９の径方向（積層方向とは垂直な方向）に押圧力を受けるように構成してあるため、流路形成体１３の積層方向へパッキン４６を押圧する必要がないから、積層方向へ押圧して封止する場合に比べて、複数の流路形成体１３を積層状態を保持するために連結する連結部材の締結力を小さくすることができる。しかも、接続通路１４，１５の周方向に均等に押圧力を作用させる必要もないので積層工程を簡単化することができる。積層する流路形成体１３の数を容易に変更することができ、この結果、種々の用途に容易に対応することができる。
【００３２】
パッキン４６は、流路形成体１３の外側へは第１接続部３５の鍔部３７によって移動が禁止され、一方、流路形成体１３の内側へはスペーサ４２の左側の側壁部４３によって移動が禁止されるので、パッキン装着隙間４０に装着されたパッキン４６が外れることがなく、第１接続部３５と第２接続部３８との間を確実に封止することができる。
【００３３】
アウターフィン１７によって、隣接する流路形成体１３同士間の間隔を一定に保つことができるので、流路形成体１３を積層する作業を簡単に能率的に行うことができる。
アウターフィン１７は、第１, 第２プレート２５, ２６により挟持されているだけなので、容易に交換することができ、アウターフィン１７の構造を適宜選択することで排気温度分布の最適化を図ることができる。積層体１６を４組のボルト５０及びナット５１により連結された１対の耐圧板１９ａ、１９ｂによって挟むことで、積層体１６の積層方向の寸法を簡単に決定することができ、その決定した間隔を保持することができる。
【００３４】
以上説明した、実施例を部分的に変更した変更例について説明する。
１）図９−１に示すように、流路形成体１３Ａにおける、第１プレート２５Ａと第２プレート２６Ａとを接合してもよい。この構造においては、第１プレート２５Ａの外周部を挟み込むように、第２プレート２６Ａの外周部を全周に亙って「Ｕ」字状に折り曲げてＵ字部５５を形成し、このＵ字部５５と第１プレート２５Ａの外周部をろう付けにより接合する。そして、第１プレート２５Ａの外側とＵ字部５５とをドレン水による腐食を防ぐために耐食性の高いロウ材５３( ニッケルロウ材など) によりロウ付けし、第１プレート２５Ａの内側とＵ字部５５とを高水圧に耐えることが可能な高強度のロウ材５４( 銅ロウ材) によりロウ付けすることで流路形成体１３Ａの耐久性を向上させることができる。
【００３５】
２）図９−２に示すように、流路形成体１３Ｂにおいては、かしめ加工により、第１プレート２５Ｂの外周端部を第２プレート２６ＢのＵ形折り返し部６０に挟み込んで水密状に接合する。この構造では、ろう付けすることなく流路形成体１３Ｂを製作することができるので、製作コスト低減の面に格段に有利である。尚、この第１プレート２５Ｂの外周端部の少なくとも片面に接着剤を塗布してからかしめることで、封止性能を高めることも可能である。尚、その他に、第１プレートと第２プレートの外周部を接合する技術としては、レーザ溶接、ＴＩＧ溶接などを採用することも可能である。
【００３６】
３）１対の耐圧板１９ａ、１９ｂをボルト５０とナット５１ではなく、図１０−１, 図１０−２に示す連結部材１８Ａにより連結してもよい。図１０−１に示すように、この連結部材１８Ａは、円板状の頭部５６と頭部５６から伸びる円柱部５７を有する連結棒５８と、リング状の止め部材５９とを有する。図１０−２に示すように、円柱部５７を耐圧板１９ａ、１９ｂ及び止め部材５９に通すと共に、この円柱部５７の先端をプレスすることで偏平状にして、円柱部５７の先端から止め部材５９が抜けるのを防いで、耐圧板１９ａ、１９ｂを連結してもよい。
【００３７】
４）流路形成体を一体の筒状部材により構成してもよい。例えば、ステンレス製の薄肉のパイプ材を所定の長さに切断後に、プレスにより偏平に成形し、両端部を溶接等により接合し、この成形したパイプ材を所定の成形型内にセット後、パイプ材の内部に高圧の液圧を作用させて成形して流路形成体を製造してもよい。
５）第１，第２接続部３５，３８の形状は丸い環状に限定されるものではない。例えばほぼ環状（矩形状、楕円状、三角形状等々）に形成することも可能であり、この場合にも、パッキンにより封止可能である。
【００３８】
６）前記の実施例においてはシリコンゴム製のパッキン４６を適用したが、パッキンはシリコンゴム製のものに限定されるものではなく、第２熱交換器５を周辺を通過する燃焼ガスの温度に耐えることができるものであれば、種々の材料のものを適用可能である。
７）流路形成体の所定の位置にアウターフィンの位置決めをする位置決め部材を設けてもよい。アウターフィンを第１プレート又は第２プレートにロウ付けしてもよい。
【００３９】
尚、本発明は以上説明した実施の形態に限定されるものではなく、当業者であれば、本発明の趣旨を逸脱しない範囲で前記実施の形態に種々の変更を付加して実施することができ、本発明はそれらの変更の形態をも包含するものである。
【図面の簡単な説明】
【００４０】
【図１】本発明の実施例に係るガス給湯装置の概略図である。
【図２】ガス給湯装置の左側面図である。
【図３】熱交換器ケースに収容された第２熱交換器の正面図である。
【図４】熱交換器ケースに収容された第２熱交換器の左側面図である。
【図５】第２熱交換器の正面図である。
【図６】第２熱交換器の平面図である。
【図７】図５のVII −VII 線における１体の流路形成体の断面図である。
【図８】流路形成体の積層方法を説明する図である。
【図９−１】変更例に係る第１，第２プレートの接合構造の要部断面図である。
【図９−２】変更例に係る第１，第２プレートの接合構造の要部断面図である。
【図１０−１】変更例に係る連結手段の説明図である。
【図１０−２】連結手段による耐圧板の連結を説明する図である。
【符号の説明】
【００４１】
４      第１熱交換器
５      第２熱交換器
１２      流路
１３、１３Ａ      流路形成体
１４、１５      接続通路
１６      積層体
１７      アウターフィン
１８、１８Ａ      連結部材      
１９ａ、１９ｂ      耐圧板
３５      第１接続部
３６      周壁部
３７      鍔部
３８      第２接続部
３９      周壁部
４０      パッキン装着隙間
４２      スペーサ
４６      パッキン
【図１】
2005069639.tif 000003
【図２】
2005069639.tif 000004
【図３】
2005069639.tif 000005
【図４】
2005069639.tif 000006
【図５】
2005069639.tif 000007
【図６】
2005069639.tif 000008
【図７】
2005069639.tif 000009
【図８】
2005069639.tif 000010
【図９−１】
2005069639.tif 000011
【図９−２】
2005069639.tif 000012
【図１０−１】
2005069639.tif 000013
【図１０−２】
2005069639.tif 000014